(57)【要約】      （修正有）【課題】終点スイッチの動作位置を容易に調整できると共に、昇降路終端部に取付けられるスイッチケ−スの取付け作業効率および据付調整作業効率を向上することができるエレベータの終点スイッチ装置を得る。【解決手段】昇降路の終端階付近のかごガイドレールに取付けたブラケットに移動可能に設けられた複数個の終点スイッチ１を駆動カム６により順次作動してエレベータかごを昇降路の所定位置に停止させるエレベータの終点スイッチ装置において、ブラケットに取付けられ、複数個の終点スイッチ１が個々に昇降路の上下方向に移動可能に設置されたスイッチケース２と、スイッチケース２の内側に設けられその隙間をふせぐリング状封止部材３とを備え、リング状封止部材３の終端部位置を終点スイッチ１の移動位置と関係なく固定したものである。【選択図】図１
2006193291.tif 000002
【特許請求の範囲】
【請求項１】
昇降路の終端階付近のかごガイドレールに取付けたブラケットに移動可能に設けられた複数個の終点スイッチを駆動カムにより順次作動してエレベータかごを昇降路の所定位置に停止させるエレベータの終点スイッチ装置において、
上記ブラケットに取付けられ、上記複数個の終点スイッチが個々に昇降路の上下方向に移動可能に設置されたスイッチケースと、
該スイッチケースの内側に設けられその隙間をふせぐリング状封止部材と
を備え、該リング状封止部材の終端部位置を上記終点スイッチの移動位置と関係なく固定したことを特徴とするエレベータの終点スイッチ装置。
【請求項２】
上記スイッチケースは、上記終点スイッチの動作範囲に対応する第１の長穴と、上記終点スイッチを取付けるための第２の長穴を有し、該第２の長穴を介して上記リング状封止部材と上記終点スイッチをネジで固定し、該ネジを緩めることで上記終点スイッチを昇降路の上下方向に移動できるようにしたことを特徴とする請求項１記載のエレベータの終点スイッチ装置。
【請求項３】
上記ブラケットを、バネ状のクリップで挟んで上記かごガイドレールに固定するようにしたことを特徴とする請求項１または２記載のエレベータの終点スイッチ装置。
【発明の詳細な説明】
【技術分野】
【０００１】
この発明は、エレベータかごの昇降路の終端付近に設けられてエレベータかごが所定範囲を越えて昇降するのを阻止するエレベータの終点スイッチ装置に関するものである。
【背景技術】
【０００２】
通常、エレベータかごが所定範囲を越えて昇降するのを阻止するエレベータの終点スイッチ装置においては、エレベータの上下の終点スイッチが取り付けられている終点スイッチケースと、エレベータかご側に取付けられて終点スイッチを作動するための駆動カムを備え、駆動カムの先端部の傾斜部で終点スイッチのローラを蹴り、終点スイッチのレバーを倒して終点スイッチを作動させるが、この終点スイッチが作動するのは、終点スイッチのレバーが所定の規定値傾いたときであり、終点スイッチケースと駆動カムとの間隔がその規定値から外れると、エレベータかごの昇降方向（上下方向）での終点スイッチの動作位置がずれ、このずれの量は、駆動カム先端部の傾斜が緩やかになればなるほど、更に大きくなる。このために、駆動カムとスイッチケースとの間隔の精度を高めることが必要であり、また、終点スイッチの動作点のずれに対応して終点スイッチは通常上下方向に調整できる構造とされており（例えば、特許文献１参照）、そのために一般的にスイッチケースに長穴を設けて終点スイッチが上下方向に移動可能な構造としている。
【０００３】
【特許文献１】特開２００１−４８４３６号公報
【発明の開示】
【発明が解決しようとする課題】
【０００４】
しかしながら、上述のような従来装置の場合には、エレベータのかごガイドレールの取付誤差によるスイッチケースの倒れ、また終点スイッチ単体の取付誤差等により、終点スイッチの動作点が大きく変動するため、エレベータかごを正規の位置で動作するよう調整する必要があり、その調整に多くの時間を費やしてしまい、据付作業性が著しく低下し、また、終点スイッチは工事仕様により動作点が変動し、終点スイッチの取付位置に対応したスイッチケースが複数必要となるため、多種類のスイッチケースの展開が必要であり、工作上の生産性が低下する等の問題点があった。
【０００５】
この発明は、上記のような課題を解決するためになされたもので、終点スイッチの動作位置を容易に調整できると共に、昇降路終端部に取付けられるスイッチケ−スの取付け作業効率および据付調整作業効率を向上することができるエレベータの終点スイッチ装置を提供することを目的とする。
【課題を解決するための手段】
【０００６】
この発明に係るエレベータの終点スイッチ装置は、昇降路の終端階付近のかごガイドレールに取付けたブラケットに移動可能に設けられた複数個の終点スイッチを駆動カムにより順次作動してエレベータかごを昇降路の所定位置に停止させるエレベータの終点スイッチ装置において、ブラケットに取付けられ、複数個の終点スイッチが個々に昇降路の上下方向に移動可能に設置されたスイッチケースと、スイッチケースの内側に設けられその隙間をふせぐリング状封止部材とを備え、リング状封止部材の終端部位置を終点スイッチの移動位置と関係なく固定したものである。
【発明の効果】
【０００７】
この発明は、スイッチケースの内側に設けられたリング状封止部材の終端部位置を終点スイッチの移動位置と関係なく固定することで、隣接の終点スイッチの下面部にリング状封止部材が当たるようなことはなくなり、終点スイッチの動作位置を容易に調整できると共に、スイッチケースの隙間をふさぎ、埃の侵入を未然に且つ確実に防ぐことができるという効果がある。
【発明を実施するための最良の形態】
【０００８】
以下、この発明の一実施の形態を、図１〜図７を参照して説明する。
実施の形態１．
図１〜図５は、この発明の実施の形態１によるエレベータの終点スイッチ装置の構成を示すもので、図１はエレベータの終点スイッチ装置を昇降路の側面から見た側面図、図２はエレベータの終点スイッチ装置を示す側面図、図３はエレベータの終点スイッチ装置を示す正面図、図４はエレベータの終点スイッチ装置で用いられるリング状封止部材の部分を示す斜視図、図５はエレベータの終点スイッチ装置におけるリング状封止部材の部分を切断して示す断面図である。
【０００９】
各図において、この発明の実施の形態１によるエレベータの終点スイッチ装置は、レバー１ａおよびその先端部に取付けられたローラ１ｂを有する複数個の終点スイッチ１と、昇降路の上下終端部に設置され、複数個の終点スイッチ１が取り付けられた例えば細長状のスイッチケース２と、このスイッチケース２の内側に設けられその隙間を塞ぐリング状封止部材３と、このリング状封止部材３を押えるための押え金具４と、エレベータかご５の外側面に設置されて終点スイッチ１を作動する駆動カム６とを備える。
【００１０】
ここで、複数個の終点スイッチ１は、昇降（上下）するエレベータかご５の側面と向かい合うようにスイッチケース２に取付けられており、エレベータかご５が昇降し、エレベータかご５の外側面に設置された駆動カム６が終点スイッチ１のローラ１ｂを押し付けることで終点スイッチ１が動作し、その動作時の位置にエレベータかご５を停止するようになされている。なお、押え金具４でリング状封止部材３を押えることで、スイッチケース２内でリング状封止部材３が歪んで変形することが防止される。
【００１１】
また、本実施の形態では、終点スイッチ１を工事仕様、つまり客先毎の個別の仕様に対して変動する動作点より決定される所定の取付位置に取り付けるために、ケーススイッチ取付面に動作点の変動に対応する長穴と、その内側にも同様にスイッチ固定用の長穴を設ける。
そこで、スイッチケース２には、図３に示すように、昇降路上下方向に終点スイッチ１が移動できるように、終点スイッチ１の動作範囲に対応する第１の長穴としての長穴７と、スイッチ取付用の第２の長穴としての長穴８を設ける。終点スイッチ１は、長穴８を介し取付ネジ１０によってスイッチケース２の内側から入れたリング状封止部材３（図２）に取付けられ、座板９で固定される。
【００１２】
このリング状封止部材３は、終点スイッチ１の任意の取付位置に対応できるように、終点スイッチ１を上下方向に移動して適正な動作点を決定することができ、また、少なくとも終点スイッチ１の動作点の範囲内の長穴７の隙間をふさぐので、この長穴７からスイッチケース２内に埃等が侵入するのを防ぐことができる。また、複数個の終点スイッチ１の個々の誤差により動作点がずれてしまった場合、つまり、終点スイッチ１の動作位置が変動する際には、終点スイッチ１の取付ネジ１０を緩め、終点スイッチ１を上下方向に（図面では左右に）移動させることにより、動作点の微調整を行うことができる。
【００１３】
図４は、リング状封止部材３の構造の一例を示すもので、このリング状封止部材３は、例えば弾力性、可撓性を有する樹脂または薄い金属板（例えばステンレスシート）をエンドレス状とし、一部に終点スイッチ端子部の逃し穴９ａと、終点スイッチ位置固定のためのネジ穴９ｂを設けた座板９が取付けられたものである。
図４において、図１等に示す取付ネジ１０を緩めてから、終点スイッチ１を矢印ａで示す移動方向（上下方向）に移動させることにより、リング状封止部材３が矢印ｂで示すように回転し、自在に終点スイッチ１の動作位置を決めることができ、その動作位置が定まったら、取付ネジ１０をリング状封止部材３の座板９に締め付けて固定する。
【００１４】
そして、リング状封止部材３をこのような構造とすることで、終点スイッチ１の移動位置に関係なく、リング状封止部材３の終端部位置は実質的に変化しないので、例えばスイッチ取付用の長穴８の最端部まで終点スイッチを移動させても隣接の終点スイッチの下面部にリング状封止部材３が当たるようなことはない。
また、図５は、内側にリング状封止部材３が設けられたスイッチケース２の断面図であって、終点スイッチ１の下部には、スイッチ端子１１が設けられ、このスイッチ端子１１に電線１２が接続され、この電線１２はリング状封止部材３とスイッチケース２の側面から出て、スイッチケース２の上下端のいずれか、もしくは両端から制御盤（図示せず）へと配線される。ここでは、スイッチケース２によりスイッチ端子１１と電線１２の保護およびスイッチ端子１１の短絡防止を図っている。
【００１５】
このようにして、本実施の形態では、リング状封止部材３を用いることで、終点スイッチ１の任意の取付位置に対応できるように、終点スイッチ１を上下方向に移動して適正な動作点を決定することができ、また、特に長穴７の隙間をふさぎ、埃の侵入を防ぐことができる。
また、複数個の終点スイッチ１の個々の誤差により動作点がずれてしまった場合、終点スイッチ１の取付ネジ１０を緩め、終点スイッチ１を上下方向に移動させることにより、終点スイッチ１の動作点の微調整を容易に且つ確実に行うことができる。
【００１６】
実施の形態２．
図６および図７は、この発明の実施の形態２によるエレベータの終点スイッチ装置における終点スイッチの位置調整方法を示すもので、図６は上記実施の形態１で説明したようなスイッチケースが取付けられるブラケットをワンタッチ式のバネ状クリップでかごガイドレールに固定する場合を示す図、図７はその固定に用いるバネ状クリップの構造の一例を示す図である。
【００１７】
図６において、バネ状クリップ２１で昇降路の終端階付近のかごガイドレール２２と図１等に示すスイッチケース２が取付けられるブラケット２３を挟んで固定する。これにより、その取付け、取外しの作業をワンタッチで容易に行うことができ、かごガイドレール２２の取付誤差によるスイッチケース２の僅かな倒れによる動作点のずれに対して、終点スイッチ１の位置調整を短時間で行うことができ、その作業時間を省力化できる。また、滑り防止のために、かごガイドレール２２とブラケット２３の間に、歯付座金２４を挟み込む。
【００１８】
バネ状クリップ２１は、図７に示すように、クリップ部２１ａ、このクリップ部２１ａより後方に延びる２枚の摘み部２１ｂと、クリップ部２１ａの先端内側部分に設けられた滑り防止部２１ｃを有し、取付時に工具で摘み部２１ｂを摘んでクリップ部２１ａを開き、スイッチケース２が取付けられるブラケット２３を挟み込むようにしてかごガイドレール２２に取付ける。
【００１９】
このようにして、本実施の形態では、かごガイドレール２２にスイッチケース２を取付けるブラケット２３をバネ状クリップ２１で挟んで固定することで、その脱着、つまり、取付け、取外しの作業をワンタッチで容易に行うことができ、以って、ブラケット２３に取付けられているスイッチケース２の据付作業効率が向上し、作業時間等の省力化が図れる。また、かごガイドレール２２とブラケット２３の間に歯付座金２４を挟み込む構造とすることで、両者間の滑りを未然に且つ確実に防止することができる。
【図面の簡単な説明】
【００２０】
【図１】この発明の実施の形態１によるエレベータの終点スイッチ装置を昇降路側面から見た側面図である。
【図２】この発明の実施の形態１によるエレベータの終点スイッチ装置を示す側面図である。
【図３】この発明の実施の形態１によるエレベータの終点スイッチ装置を示す正面面である。
【図４】この発明の実施の形態１によるエレベータの終点スイッチ装置で用いられるリング状封止部材の部分を示す斜視図である。
【図５】この発明の実施の形態１によるエレベータの終点スイッチ装置におけるリング状封止部材の部分を切断して示す断面図である。
【図６】この発明の実施の形態２によるエレベータの終点スイッチ装置における終点スイッチ取付用ブラケットをワンタッチ式のバネ状クリップでかごガイドレールに固定する場合を示す側面図である。
【図７】図６におけるバネ状クリップの構造の一例を示す斜視図である。
【符号の説明】
【００２１】
１    終点スイッチ、１ａ    レバー、１ｂ    ローラ、２    スイッチケース、３    リング状封止部材、４    押え金具、５    エレベータかご、６    駆動カム、７,８    長穴、９    座板、１０    取付ネジ、１１    スイッチ端子、１２    電線、２１    バネ状クリップ、２２    かごガイドレール、２３    終点スイッチ取付用ブラケット、２４    歯付座金。
【図１】
2006193291.tif 000003
【図２】
2006193291.tif 000004
【図３】
2006193291.tif 000005
【図４】
2006193291.tif 000006
【図５】
2006193291.tif 000007
【図６】
2006193291.tif 000008
【図７】
2006193291.tif 000009